(57)【要約】【課題】従来のカラオケシステムではカラオケ装置とリモコン端末との間のデータ転送の速度が遅いためにリモコン端末の表示画面における文字コードの表示色の変更が実際のカラオケ演奏から遅れるような場合でも、リモコン端末の表示画面における文字コードの表示色変更の遅れるのを防ぐことにより、リモコン端末にて歌詞を見ている利用者に違和感を生じさせるのを防ぐこと。【解決手段】カラオケ装置の表示部における画面サイズとリモコン端末の表示部における画面サイズとの画面サイズ比率(S102)、および利用者からカラオケ装置までの距離とリモコン端末までの距離利用者からリモコン端末までの距離との距離比率(S104)に基づき、カラオケ装置から無線ＬＡＮを介してリモコン端末へ送信される歌詞データから指示データを間引くための間引き割合を算出する(S106)。その間引き割合に基づいて歌詞データから指示データを間引いてリモコン端末２へ送信する(S108)。【選択図】図６
2006106084.tif 000002
【特許請求の範囲】
【請求項１】
楽曲データに基づいてカラオケ演奏を行うカラオケ装置と、前記カラオケ装置に演奏させるべき演奏楽曲をユーザに選曲させ、前記選曲された演奏楽曲を前記カラオケ装置に通知する選曲通知機能を有するリモコン端末と、を備え、前記カラオケ装置と前記リモコン端末との間でデータ通信可能に構成されているカラオケシステムであって、
前記カラオケ装置は、
カラオケ演奏を行うための演奏データと、前記演奏楽曲の歌詞を示す文字データおよび前記文字データが表示部に表示された際にその表示色を一方から他方へ所定幅ずつ変更するための指示データを含む歌詞データとからなる楽曲データを記憶する楽曲データ記憶手段と、
ユーザ側から通知された演奏楽曲に対応する楽曲データを前記楽曲データ記憶手段から読み出してカラオケ演奏をする際に、前記楽曲データ中の少なくとも前記歌詞データを前記リモコン端末へ送信する歌詞データ送信手段と、
前記歌詞データで示される歌詞を文字データに基づいてカラオケ装置側表示部に表示させるカラオケ装置側歌詞表示手段と、を備えており、
前記リモコン端末は、
前記カラオケ装置の歌詞データ送信手段によって送信された前記歌詞データを受信可能な歌詞データ受信手段と、
前記歌詞データ受信手段によって受信された歌詞データで示される歌詞をリモコン端末側表示部に表示させるリモコン端末側歌詞表示手段と、を備えており、
さらに、前記カラオケ装置は、
前記カラオケ装置側表示部における画面サイズと前記リモコン端末側表示部における画面サイズとの画面サイズ比率を記憶可能な画面サイズ比率記憶手段と、
利用者から前記カラオケ装置側表示部までの距離と利用者から前記リモコン端末側表示部までの距離との距離比率を算出する距離比率算出手段と、
前記画面サイズ比率記憶手段が記憶する画面サイズ比率を読み出し、その読み出した画面サイズ比率および前記距離比率算出手段によって算出された距離比率に基づき、前記歌詞データ送信手段によって送信される歌詞データから前記指示データを間引くための間引き割合を指定する間引き割合指定手段と、
前記歌詞データ送信手段によって前記歌詞データが送信される際には、前記間引き割合指定手段によって指定された間引き割合にて、前記歌詞データ送信手段によって送信される歌詞データから前記指示データを間引くデータ間引き処理を実行するデータ間引き手段と、
を備えることを特徴とするカラオケシステム。
【請求項２】
請求項１に記載のカラオケシステムにおいて、
前記カラオケ装置側表示部における画面サイズと前記リモコン端末側表示部における画面サイズとの画面サイズ比率を算出する画面サイズ比率算出手段と、
前記画面サイズ比率算出手段によって算出された画面サイズ比率を前記画面サイズ比率記憶手段に記憶させるとともに、前記画面サイズ比率算出手段によって新たに算出された画面サイズ比率が前記画面サイズ比率記憶手段の記憶内容とは異なる場合には、前記画面サイズ比率記憶手段の記憶内容をその新たに算出した画面サイズ比率へ更新する画面サイズ比率記憶内容制御手段と、
を備えることを特徴とするカラオケシステム。
【請求項３】
請求項２に記載のカラオケシステムにおいて、
前記カラオケ装置側表示部における画面サイズの値または前記リモコン端末側表示部における画面サイズの値の少なくとも何れか一方の利用者による入力を受付可能な画面サイズ値入力受付手段と、
前記画面サイズ値入力受付手段によって受け付けた前記カラオケ装置側表示部における画面サイズの値または前記リモコン端末側表示部における画面サイズの値の少なくとも何れか一方を前記画面サイズ比率記憶手段に記憶させる画面サイズ比率記憶制御手段と、
を備えることを特徴とするカラオケシステム。
【請求項４】
請求項２に記載のカラオケシステムにおいて、
前記リモコン端末側表示部の画面サイズを特定する画面サイズ特定情報を取得可能な画面サイズ特定情報取得手段と、
前記画面サイズ特定情報と前記リモコン端末側表示部の画面サイズの値とを対応付けた画面サイズ値テーブルを記憶する画面サイズ値テーブル記憶手段と、
前記画面サイズ特定情報取得手段によって取得された画面サイズ特定情報に基づき、前記画面サイズ値テーブル記憶手段が記憶する画面サイズ値テーブルを参照して前記リモコン端末側表示部の画面サイズの値を特定する画面サイズ値特定手段と、
を備えることを特徴とするカラオケシステム。
【請求項５】
請求項１〜請求項４の何れかに記載のカラオケシステムにおいて、
前記画面サイズ比率とは、前記カラオケ装置側表示部における有効画面の対角寸法と前記リモコン端末側表示部における有効画面の対角寸法との比率であることを特徴とするカラオケシステム。
【請求項６】
請求項１〜請求項５の何れかに記載のカラオケシステムにおいて、
前記リモコン端末を載置するためのクレードルと、
前記リモコン端末が前記クレードルに載置されているか否かを判断する載置判断手段と、
前記載置判断手段によって前記リモコン端末が前記クレードルに載置されていると判断された場合には利用者から前記リモコン端末までの距離が予め定められた相対的に長い第一の距離であると推定し、前記載置判断手段によって前記リモコン端末が前記クレードルに載置されてはいないと判断された場合には利用者から前記リモコン端末までの距離が予め定められた相対的に短い第二の距離であると推定する第一の距離推定手段と、を備え、
前記距離比率算出手段は、前記距離比率を算出する際には、利用者から前記カラオケ装置側表示部までの距離と前記第一の距離推定手段によって推定された利用者から前記リモコン端末までの距離との比率を算出して前記距離比率とすること
を特徴とするカラオケシステム。
【請求項７】
請求項１〜請求項６の何れかに記載のカラオケシステムにおいて、
前記リモコン端末は、
超音波発信器と、
超音波受信器と、
前記超音波発信器から発信された超音波が利用者によって反射されて前記超音波受信器によって受信されるまでの所要時間に基づいて利用者から前記リモコン端末までの距離を推定する第二の距離推定手段を備えており、
さらに、前記距離比率算出手段は、前記距離比率を算出する際には、利用者から前記カラオケ装置側表示部までの距離と前記第二の距離推定手段によって推定された利用者から前記リモコン端末までの距離との比率を算出して前記距離比率とすること
を特徴とするカラオケシステム。
【請求項８】
請求項１〜請求項５の何れかに記載のカラオケシステムにおいて、
利用者から前記カラオケ装置側表示部までの距離の値または利用者から前記リモコン端末側表示部までの距離の値の少なくとも何れか一方の利用者による入力を受付可能な距離値入力受付手段を備え、
前記距離比率算出手段は、前記距離比率を算出する際には、前記距離値入力受付手段によって受け付けた利用者から前記カラオケ装置側表示部までの距離の値または利用者から前記リモコン端末側表示部までの距離の値の少なくとも何れか一方を用いること
を特徴とするカラオケシステム。
【請求項９】
請求項１〜請求項８の何れかに記載のカラオケシステムにおける距離比率算出手段、間引き割合指定手段およびデータ間引き手段として、または請求項２に記載のカラオケシステムにおける画面サイズ比率算出手段として、または請求項６に記載のカラオケシステムにおける載置判断手段および第一の距離推定手段として、または請求項７に記載のカラオケシステムにおける第二の距離推定手段として、コンピュータを機能させるためのプログラム。
【発明の詳細な説明】
【技術分野】
【０００１】
本発明は、リモコン端末においても歌詞を表示するよう構成されたカラオケシステムにおいて、リモコン端末の表示画面における文字コードの表示色の変更が実際のカラオケ演奏から遅れるのを防ぐことにより、リモコン端末にて歌詞を見ている利用者に違和感を生じさせるのを防ぐ技術に関する。
【背景技術】
【０００２】
従来より、カラオケ装置において楽曲のカラオケ演奏に合わせてモニタなどの表示装置に歌詞を表示させるとともに、リモコン端末においてもモニタなどの表示装置に楽曲の歌詞を表示させるよう構成されたカラオケシステムが知られている。
【０００３】
上述の楽曲に含まれる歌詞については、例えば従来のレーザーディスク（登録商標）を用いたカラオケに見られたようなアナログ的な映像形態ではなく、文字コードの形態で構成されている。具体的には、カラオケ装置においては、ＭＩＤＩ形式の楽曲データに基づいてカラオケ演奏する際に、そのカラオケ演奏の進行に伴って楽曲データに含まれる歌詞の文字コードを順次読み出し、その読み出した文字コードに対応する文字画像を表示装置に表示させている。
【０００４】
また、上述の歌詞を示す文字コードを含む楽曲データにおいては、文字コードに表示色を指定するものがある。そして、歌詞の表示色を演奏に合わせて変更するものがある。具体的には、例えば演奏音符のタイミングに合わせて文字コードの表示色の変更を指示するイベントデータやトリガ信号等（以下、指示データ）を含ませておき、楽曲データに基づいてカラオケ演奏していく過程で上述の指示データを読み出した際に、その指示データによって指示された変化幅分だけ文字コードの表示色を順次変更するようにしている。なお、上述の変化幅の具体例としては、１文字幅や複数文字幅、１文字未満の幅などが挙げられる（例えば、特許文献１参照。）。
【０００５】
また、上述のカラオケシステムの中には、カラオケ装置だけでなく、リモコン端末においてもその読み出した文字コードに対応する文字画像を表示装置に表示させるものがある。
【特許文献１】特許２９７６９４２号公報（第６、７頁、図２）
【発明の開示】
【発明が解決しようとする課題】
【０００６】
しかし、上述のようなカラオケシステムにおいては、歌詞の表示色の変更をスムーズにするために指示データと指示データとの間隔を短く設定する場合があり、このような場合、リモコン端末における文字コードの表示については、カラオケ装置とリモコン端末との間のデータ転送の速度が遅いために、文字コードの表示色の変更が実際のカラオケ演奏から遅れ、リモコン端末にて歌詞を見ている利用者に違和感を生じさせるといった問題があった。
【０００７】
本発明は、このような不具合に鑑みなされたものであり、その目的とするところは、リモコン端末においても歌詞を表示するよう構成されたカラオケシステムにおいて、従来のカラオケシステムではカラオケ装置とリモコン端末との間のデータ転送の速度が遅いためにリモコン端末の表示画面における文字コードの表示色の変更が実際のカラオケ演奏から遅れるような場合でも、上述のようなリモコン端末の表示画面における文字コードの表示色変更の遅れるのを防ぐことにより、リモコン端末にて歌詞を見ている利用者に違和感を生じさせるのを防ぐ技術を提供することにある。
【課題を解決するための手段】
【０００８】
上記課題を解決するためになされた請求項１に係るカラオケシステムは、「カラオケ装置の画面サイズとリモコン端末の画面サイズとの画面サイズ比率に応じて、歌詞データの表示色に関する指示データを間引いてリモコン端末に転送すること」を特徴とする。
【０００９】
具体的には、上述のカラオケシステムは、楽曲データに基づいてカラオケ演奏を行う「カラオケ装置」と、カラオケ装置に演奏させるべき演奏楽曲をユーザに選曲させ、前記選曲された演奏楽曲を前記カラオケ装置に通知する選曲通知機能を有する「リモコン端末」と、を備えており、カラオケ装置とリモコン端末との間でデータ通信可能に構成されている。
【００１０】
このうちカラオケ装置は、上述の楽曲データを記憶する楽曲データ記憶手段と、歌詞データ送信手段と、カラオケ装置側歌詞表示手段と、を備えている。楽曲データ記憶手段は、カラオケ演奏を行うための「演奏データ」と、演奏楽曲の歌詞を示す文字データおよび前記文字データが表示部に表示された際にその表示色を一方から他方へ所定幅ずつ変更するための指示データを含む「歌詞データ」とからなる楽曲データを記憶する。そして、ユーザ側から通知された演奏楽曲に対応する楽曲データを上述の楽曲データ記憶手段から読み出してカラオケ演奏をする際に、歌詞データ送信手段が、楽曲データ中の少なくとも歌詞データをリモコン端末へ送信する。また、カラオケ装置側歌詞表示手段が、歌詞データで示される歌詞を文字データに基づいてカラオケ装置側表示部に表示させる。
【００１１】
一方、リモコン端末は、カラオケ装置の歌詞データ送信手段によって送信された歌詞データを受信可能な歌詞データ受信手段と、歌詞データ受信手段によって受信された歌詞データで示される歌詞をリモコン端末側表示部に表示させるリモコン端末側歌詞表示手段と、を備えている。
【００１２】
さらに、カラオケ装置は、画面サイズ比率記憶手段、距離比率算出手段、間引き割合指定手段およびデータ間引き手段を備えている。このうち間引き割合指定手段が、画面サイズ比率記憶手段が記憶する画面サイズ比率を読み出し、その読み出した「画面サイズ比率」および距離比率算出手段によって算出された「距離比率」に基づき、前記歌詞データ送信手段によって送信される歌詞データから前記指示データを間引くための間引き割合を指定する。なお、上述の画面サイズ比率とは、カラオケ装置側表示部における画面サイズとリモコン端末側表示部における画面サイズとの比率を云い、また上述の距離比率とは、利用者からカラオケ装置側表示部までの距離と利用者からリモコン端末側表示部までの距離との比率を云う。そして、上述の歌詞データ送信手段によって歌詞データが送信される際には、データ間引き手段が、間引き割合指定手段によって指定された間引き割合にて、歌詞データ送信手段によって送信される歌詞データから前記指示データを間引くデータ間引き処理を実行する。
【００１３】
従来のカラオケシステムにおいては、歌詞の表示色の変更をスムーズにするために指示データと指示データとの間隔を短く設定する場合があり、このような場合、リモコン端末における文字コードの表示については、カラオケ装置とリモコン端末との間のデータ転送の速度が遅いために、文字コードの表示色の変更が実際のカラオケ演奏から遅れ、リモコン端末にて歌詞を見ている利用者に違和感を生じさせるといった問題があった。
【００１４】
これに対して本発明によれば、カラオケ装置の画面サイズとリモコン端末の画面サイズとの画面サイズ比率に応じて、歌詞データの表示色に関する指示データを間引いてリモコン端末に転送する。このことにより、例えばカラオケ装置側表示部における画面サイズとリモコン端末側表示部における画面サイズとの比率が数値「２」である場合には、指示データを間引く割合を例えば数値「１／２」として指示データを一つおきに間引くことによってリモコン端末側表示部に表示された文字データの表示色の変更をカラオケ装置側表示部に表示された文字データの表示色の変更の２倍の速度で行うといった具合に、従来のカラオケシステムではカラオケ装置とリモコン端末との間のデータ転送の速度が遅いためにリモコン端末の表示画面における文字コードの表示色の変更が実際のカラオケ演奏から遅れるような場合でも、上述のようなリモコン端末の表示画面における文字コードの表示色変更の遅れるのを防ぐことができ、リモコン端末にて歌詞を見ている利用者に違和感を生じさせるのを防ぐことができる。
【００１５】
上述の画面サイズ比率については、例えばメンテナンスや新機種導入などにより営業時間の外にリモコン端末が取り替えられる可能性があるため、画面サイズを再確認し、必要ならば画面サイズ比率を新たに算出して画面サイズ比率記憶手段の記憶内容を更新することが望ましい。具体的には、請求項２のように、カラオケ装置側表示部における画面サイズとリモコン端末側表示部における画面サイズとの画面サイズ比率を算出する画面サイズ比率算出手段と、画面サイズ比率算出手段によって算出された画面サイズ比率を画面サイズ比率記憶手段に記憶させるとともに、画面サイズ比率算出手段によって新たに算出された画面サイズ比率が画面サイズ比率記憶手段の記憶内容とは異なる場合には、画面サイズ比率記憶手段の記憶内容をその新たに算出した画面サイズ比率へ更新する画面サイズ比率記憶内容制御手段と、を備えることが考えられる。
【００１６】
このようにすれば、例えばメンテナンスや新機種導入などにより営業時間の外にリモコン端末が取り替えられていても、画面サイズ比率記憶手段の記憶内容を最新のものに維持することができる。
【００１７】
また、上述の画面サイズ比率を算出する際に用いるカラオケ装置側表示部における画面サイズの値またはリモコン端末側表示部における画面サイズの値については、操作パネルなどから入力するようにしてもよい。具体的には、請求項３のように、カラオケ装置側表示部における画面サイズの値またはリモコン端末側表示部における画面サイズの値の少なくとも何れか一方の利用者による入力を受付可能な画面サイズ値入力受付手段と、画面サイズ値入力受付手段によって受け付けたカラオケ装置側表示部における画面サイズの値またはリモコン端末側表示部における画面サイズの値の少なくとも何れか一方を画面サイズ比率記憶手段に記憶させる画面サイズ比率記憶制御手段と、を備えることが考えられる。
【００１８】
また、上述の画面サイズ比率を算出する際に用いるリモコン端末側表示部における画面サイズの値については、リモコン端末のシリアル番号などから特定してもよい。具体的には、請求項４のように、リモコン端末側表示部の画面サイズを特定する画面サイズ特定情報を取得可能な画面サイズ特定情報取得手段と、画面サイズ特定情報とリモコン端末側表示部の画面サイズの値とを対応付けた画面サイズ値テーブルを記憶する画面サイズ値テーブル記憶手段と、画面サイズ特定情報取得手段によって取得された画面サイズ特定情報に基づき、画面サイズ値テーブル記憶手段が記憶する画面サイズ値テーブルを参照してリモコン端末側表示部の画面サイズの値を特定する画面サイズ値特定手段と、を備えることが考えられる。なお、画面サイズ特定情報の具体例としては、リモコン端末のシリアル番号や製品番号などが挙げられる。このようにすれば、例えばカラオケボックスの閉店時間中に、カラオケシステムを構成するリモコン端末が交換された場合でも、画面サイズ特定情報を取得することにより、リモコン端末側表示部の画面サイズを容易に特定することができる。
【００１９】
なお、上述の画面サイズ比率の具体例としては、次のようなものが考えられる。すなわち、（イ）画面サイズ比率とは、カラオケ装置側表示部における有効画面の対角寸法とリモコン端末側表示部における有効画面の対角寸法との比率であることが考えられる（請求項５）。（ロ）また、画面サイズ比率とは、カラオケ装置側表示部における縦寸法とリモコン端末側表示部における有効画面の縦寸法との比率であることが考えられる。（ハ）さらに、画面サイズ比率とは、カラオケ装置側表示部における有効画面の横寸法とリモコン端末側表示部における有効画面の横寸法との比率であることが考えられる。（ニ）また、画面サイズ比率とは、カラオケ装置側表示部における有効画面の面積とリモコン端末側表示部における有効画面の面積との比率であることが考えられる。
【００２０】
また、上述の距離比率の具体例としては、次のようなものが考えられる。すなわち、（ホ）利用者とカラオケ装置との間の距離については、実測した値を用いることが考えられる。（へ）また、標準的なカラオケボックスにおけるカラオケ装置の設置位置と利用者の位置との間の距離を算出して用いてもよい。（ト）また、利用者とリモコン端末との間の距離については、例えばカラオケルームのテーブル上に置かれたクレードルにリモコン端末が載置されている場合には、利用者とリモコン端末との間の距離を予め設定された相対的に長い第一の距離（例えば約１ｍ）であると推定し、その推定された第一の距離を用いて距離比率を算出することが考えられる（請求項６）。（チ）また、例えばカラオケルームのテーブル上に置かれたクレードルにリモコン端末が載置されていない場合には、リモコン端末が利用者に持たれていると推定して利用者とリモコン端末との間の距離を予め設定された相対的に短い第二の距離（例えば約０．５ｍ）であると推定し、その推定された第二の距離を用いて距離比率を算出することが考えられる（請求項６）。（リ）さらに、リモコン端末が超音波発信器および超音波受信器を備え、超音波発信器から発信され利用者によって反射された超音波を超音波受信器によって受信することにより利用者とリモコン端末との間の距離を測定し、その測定された距離を用いて距離比率を算出することが考えられる（請求項７）。
【００２１】
また、上述の距離比率を算出する際に用いる利用者からカラオケ装置側表示部までの距離の値または利用者からリモコン端末側表示部までの距離の値については、操作パネルなどから入力するようにしてもよい。具体的には、請求項８のように、利用者からカラオケ装置側表示部までの距離の値または利用者からリモコン端末側表示部までの距離の値の少なくとも何れか一方の利用者による入力を受付可能な距離値入力受付手段を備え、距離比率算出手段が、上述のように距離比率を算出する際には、距離値入力受付手段によって受け付けた利用者からカラオケ装置側表示部までの距離の値または利用者からリモコン端末側表示部までの距離の値の少なくとも何れか一方を用いることが考えられる。
【００２２】
なお、請求項９に示すように、請求項１〜請求項８の何れかに記載のカラオケシステムにおける距離比率算出手段、間引き割合指定手段およびデータ間引き手段は、コンピュータを機能させるプログラムとして実現できる。また、請求項２に記載のカラオケシステムにおける画面サイズ比率算出手段は、コンピュータを機能させるプログラムとして実現できる。また、請求項６に記載のカラオケシステムにおける載置判断手段および第一の距離推定手段は、コンピュータを機能させるプログラムとして実現できる。また、請求項７に記載のカラオケシステムにおける第二の距離推定手段は、コンピュータを機能させるプログラムとして実現できる。したがって、本発明は、プログラムの発明として実現できる。また、このようなプログラムの場合、例えば、ＦＤ、ＭＯ、ＤＶＤ−ＲＯＭ、ＣＤ−ＲＯＭ、ハードディスク等のコンピュータ読み取り可能な記録媒体に記録し、必要に応じてコンピュータにロードして起動することにより用いることができる。この他、ＲＯＭやバックアップＲＡＭをコンピュータ読み取り可能な記録媒体として本プログラムを記録しておき、ＲＯＭあるいはバックアップＲＡＭをコンピュータに組み込んで用いても良い。
【発明を実施するための最良の形態】
【００２３】
以下に本発明の実施形態を図面とともに説明する。
図１は、カラオケシステムの全体構成を示すブロック図である。
［第一実施形態］
カラオケシステムは、図１に示すように、カラオケ装置１とリモコン端末２とがデータ通信可能に構成されたものである。
【００２４】
［カラオケ装置１の構成の説明］
カラオケ装置１は、図１に示すように、カラオケ装置１全体の動作を制御する制御部１２、カラオケ装置１をネットワーク１００に接続するためのインタフェース部１４、演奏楽曲の伴奏内容および歌詞を示す楽曲データや映像データなどを記憶するハードディスク（ＨＤＤ）１６、複数のキー・スイッチからなる操作部１８、リモコン端末２や携帯電話からの赤外線信号を赤外線通信規格（ＩｒＤＡ（登録商標、以下同様））に従って受信するための赤外線通信部２０、操作部１８からの信号を処理する操作処理部２２、ハードディスク１６に記憶された楽曲データから演奏楽曲のオーディオ信号（音響，音声に関する信号）を生成し、生成されたオーディオ信号およびマイクロフォン２６から入力されたオーディオ信号を増幅してスピーカ２８へ出力する音声制御部２４、ＭＩＤＩ音源３０、映像情報を一時的に記憶するビデオＲＡＭ３２、映像データに基づく映像の再生を制御する映像再生部３４、ビデオＲＡＭ３２に記憶された映像情報および映像再生部３４により再生される映像の表示部３６での表示を制御する映像制御部３８などを備えている。また、制御部１２と音声制御部とはＵＳＢ４０によって接続されている。また、制御部１２は、後述する各種処理を実行する。
【００２５】
このうちＨＤＤ１６は、楽曲データを記憶する。ここで楽曲データとは、カラオケ演奏を行うための「演奏データ」と、演奏楽曲の歌詞を示す文字データおよび前記文字データが表示部に表示された際にその表示色を一方から他方へ所定幅ずつ変更するための指示データを含む「歌詞データ」とから構成される。また、ＨＤＤ１６は、画面サイズ比率を記憶する。なお、画面サイズ比率とは、カラオケ装置１の表示部３６における画面サイズとリモコン端末２の表示部５８における画面サイズとの比率を云い、本実施形態では、カラオケ装置１の表示部３６における有効画面の対角寸法とリモコン端末２の表示部５８における有効画面の対角寸法との比率を画面サイズ比率とする。
【００２６】
また、上述の歌詞データには、図５に例示するように、指示データが含まれている。ここで、指示データとは、歌詞データに基づく文字データをカラオケ装置１の表示部３６やリモコン端末２の表示部５８に表示させる際に、文字データの色変わりを指示するためのデータである。具体的には、図５に例示するように、歌詞データの基準位置ＸからＡまでの距離ａドット、基準位置ＸからＢまでの距離ｂドット、基準位置ＸからＣまでの距離ｃドット、基準位置ＸからＤまでの距離ｄドット、基準位置ＸからＥまでの距離ｅドットをステップ値と呼ぶ。このステップ値に関する情報を歌詞データに含めて楽曲データに合わせたタイミングで順番に送信する。すると、カラオケ装置１の制御部１２やリモコン端末２の制御部５２が、表示部に表示させる歌詞データに基づく文字において、「Ｘ→Ａ→Ｂ→Ｃ→Ｄ→Ｅ→・・・・」いう具合に文字の色変わりを実行させる。例えば、画面サイズが１／２の場合は間引き割合（図５の間引き率が相当。）が数値「１／２」となり指示データＢおよび指示データＤが間引かれて「Ｘ→Ａ→Ｃ→Ｅ→・・・・」と文字の色変わりが行われる。
【００２７】
一方、制御部１２は、図１に示すように、ユーザ側から通知された演奏楽曲に対応する楽曲データをＨＤＤ１６から読み出してカラオケ演奏をする際に、楽曲データ中の少なくとも歌詞データをリモコン端末２へ無線アクセスポイント１１０を介して送信させる機能を有する。また、制御部１２は、歌詞データで示される歌詞を文字データに基づいて表示部３６に表示させる機能を有する。また、制御部１２は、カラオケ装置１の表示部３６における画面サイズとリモコン端末２の表示部５８における画面サイズとの画面サイズ比率を算出し、その算出された画面サイズ比率をＨＤＤ１６に記憶させるとともに、新たに算出された画面サイズ比率がＨＤＤ１６の記憶内容とは異なる場合には、ＨＤＤ１６の記憶内容をその新たに算出した画面サイズ比率へ更新する機能を有する。また、制御部１２は、距離比率を算出する機能を有する。なお、距離比率とは、利用者からカラオケ装置１の表示部３６までの距離と利用者からリモコン端末２の表示部５８までの距離との比率を云う。なお、本実施形態では、利用者からカラオケ装置１までの距離については実測値を用い、利用者からリモコン端末２までの距離については、例えばカラオケルームのテーブル上に置かれたクレードル１２０（後述）にリモコン端末２が載置されている場合には、利用者からリモコン端末２までの距離を予め設定された相対的に長い第一の距離（例えば約１ｍ）であると推定し、上述のクレードルにリモコン端末２が載置されていない場合には、リモコン端末２が利用者に持たれていると推定して利用者からリモコン端末２までの距離を予め設定された相対的に短い第二の距離（例えば約０．５ｍ）であると推定している。また、制御部１２は、ＨＤＤ１６が記憶する画面サイズ比率を読み出し、その読み出した「画面サイズ比率」および算出した「距離比率」に基づき、無線アクセスポイント１１０を介して送信される歌詞データから指示データを間引くための間引き割合を指定する機能を有する。また、制御部１２は、無線アクセスポイント１１０を介して歌詞データが送信される際には、算出した間引き割合にて、無線アクセスポイント１１０を介して送信される歌詞データから指示データを間引くデータ間引き処理を実行する機能を有する。
【００２８】
また、表示部３６の画面サイズについては、本実施形態では３０インチである。
なお、制御部１２は、カラオケ装置側歌詞表示手段、距離比率算出手段、間引き割合指定手段、データ間引き手段、画面サイズ比率算出手段、画面サイズ比率記憶制御手段、画面サイズ比率記憶内容制御手段、載置判断手段および第一の距離推定手段に該当する。また、インタフェース部１４は、歌詞データ送信手段に該当する。また、ＨＤＤ１６は画面サイズ比率記憶手段に該当する。また、操作部１８は、画面サイズ値入力受付手段および距離値入力受付手段に該当する。また、表示部３６はカラオケ装置側表示部に該当する。
【００２９】
［リモコン端末２の構成の説明］
リモコン端末２は、図１に示すように、リモコン端末２全体の動作を制御する制御部５２、カラオケ装置１に赤外線信号を赤外線通信規格（ＩｒＤＡ）に従って送信する赤外線通信部５４、各種情報を記憶するメモリ５６、表示部５８の表示領域に沿って設置されるタッチパネルおよび複数のキー・スイッチからなる操作部６０、操作部６０からの信号を処理する操作処理部６２、映像情報を一時的に記憶するビデオＲＡＭ６４、ビデオＲＡＭ６４に記憶された映像情報の表示部５８での表示を制御する映像制御部６６、ネットワーク１００に接続された無線アクセスポイント１１０との間で無線ＬＡＮ規格（例えば、ＩＥＥＥ８０２．１１ａ／ｂ／ｇ規格，ＨｏｍｅＲＦ規格，Ｂｌｕｅｔｏｏｔｈ規格など）に従った無線通信を行うための無線ＬＡＮ通信部６８、ＵＳＢ制御部７０、超音波受信機７２、超音波発振機７４、などを備えている。
【００３０】
このうち無線ＬＡＮ通信部６８は、カラオケ装置１から無線アクセスポイント１１０を介して送信された歌詞データを受信可能である。
また、制御部５２は、赤外線通信部５４によって受信された歌詞データで示される歌詞を表示部５８に表示させる機能を有している。また、制御部５２は、超音波発振機７４から発信されて利用者によって反射された超音波を超音波受信機によって受信するまでに要した時間を計時することにより、利用者とリモコン端末２との間の距離を測定する機能を有する。
【００３１】
また、表示部５８の画面サイズについては、本実施形態では５インチである。
なお、制御部５２はリモコン端末側歌詞表示手段および第二の距離推定手段に該当する。赤外線通信部５４は歌詞データ受信手段に該当する。また、表示部５８はリモコン端末側表示部に該当する。
【００３２】
［その他の構成の説明］
また、上述のネットワーク１００には、無線アクセスポイント１１０とともに、リモコン端末２を載置可能なクレードル１２０が接続されている。このクレードル１２０は、載置されたリモコン端末２のＵＳＢ制御部７０と通信可能なＵＳＢ／ＬＡＮ変換機１２５を内蔵しており、このクレードル１２０に載置されたリモコン端末２は、ネットワーク１００を介してカラオケ装置１との間でデータ通信を行うことができる。
【００３３】
［データ間引き処理の説明］
以下に、カラオケ装置１の制御部１２が実行するデータ間引き処理の処理手順を図６のフローチャートおよび図２〜図５に基づいて説明する。なお、図２はカラオケ装置の表示部とリモコン端末の表示部との画面サイズの比較を示した説明図であり、図３は利用者からカラオケ装置の表示部までの距離と利用者からリモコン端末の表示部までの距離との距離比率を説明する説明図であり、図４（ａ）は利用者とクレードルとの位置関係を示す説明図であり、図４（ｂ）は利用者とリモコン端末との位置関係を示す説明図であり、図５は間引き割合に基づき、歌詞データから指示データを間引く処理を説明する説明図である。
【００３４】
この処理は、カラオケ演奏中において、その演奏中の演奏楽曲の歌詞データをカラオケ装置１からリモコン端末２へ送信される際に実行される。
まず、ステップＳ１０１では各種の初期設定を行う。
【００３５】
続くＳ１０２では、画面サイズ比率を算出する。具体的には、カラオケ装置１の表示部３６における画面サイズとリモコン端末２の表示部５８における画面サイズとの画面サイズ比率を算出し、その算出された画面サイズ比率をＨＤＤ１６に記憶させるとともに、新たに算出された画面サイズ比率がＨＤＤ１６の記憶内容とは異なる場合には、ＨＤＤ１６の記憶内容をその新たに算出した画面サイズ比率へ更新する（図２参照）。
【００３６】
なお、画面サイズ比率については、次の数式（１）により算出する。
画面サイズ比率＝リモコン端末２の表示部５８における画面サイズの値／カラオケ装置１の表示部３６における画面サイズの値・・・数式（１）
なお、本実施形態においては、カラオケ装置１の表示部３６における画面サイズが３０インチであり、リモコン端末２の表示部５８における画面サイズが５インチであるので、画面サイズ比率は数値「１／６」となる。
【００３７】
続くＳ１０４では、距離比率を算出する。具体的には、利用者からカラオケ装置１までの距離（実測値）と、利用者からリモコン端末２までの距離との比率を算出する（図３参照）。ここで、利用者からリモコン端末２までの距離については、上述のように、例えばカラオケルームのテーブル上に置かれたクレードル１２０にリモコン端末２が載置されている場合には、利用者からリモコン端末２までの距離を予め設定された相対的に長い第一の距離（例えば約１ｍ）であると推定し、一方、上述のクレードル１２０にリモコン端末２が載置されていない場合には、リモコン端末２が利用者に持たれていると推定して利用者からリモコン端末２までの距離を予め設定された相対的に短い第二の距離（例えば約０．５ｍ）であると推定する(図４参照)。
【００３８】
なお、距離比率については、次の数式（２）により算出する。
距離比率＝利用者からリモコン端末２の表示部５８までの距離／利用者からカラオケ装置１の表示部３６までの距離・・・数式（２）
ここで、例えば利用者からカラオケ装置１の表示部３６までの距離が１．５ｍであり、クレードル１２０にリモコン端末２が載置されていない場合を例に挙げると、利用者からカラオケ装置１の表示部３６までの距離が１．５ｍであり、利用者からリモコン端末２の表示部５８までの距離が０．５ｍであるので、距離比率は、上述の数式（２）によって数値「１／３」となる。
【００３９】
続くＳ１０６では、間引き割合（図５の間引き率に相当。）を決定する。具体的には、ＨＤＤ１６が記憶する画面サイズ比率を読み出し、その読み出した「画面サイズ比率」、および先のＳ１０４にて算出した「距離比率」に基づき、無線アクセスポイント１１０を介して送信される歌詞データから指示データを間引くための間引き割合を算出して決定する。
【００４０】
なお、画面比率については、次の数式（３）により算出する。
画面比率＝画面サイズ比率／距離比率・・・数式（３）
本実施形態においては、画面サイズ比率が数値「１／６」であり、距離比率が数値「１／３」であるので、画面比率が数値「１／２」となる。
【００４１】
なお、間引き割合については、次の数式（４）により算出する。
間引き割合＝画面比率・・・数式（４）
本実施形態においては、画面比率が数値「１／２」であるので、間引き割合が数値「１／２」となる。
【００４２】
続くＳ１０８では、先のＳ１０６にて決定した間引き割合に基づき、歌詞データから指示データを間引く。具体的には、無線アクセスポイント１１０を介して歌詞データが送信される際には、算出した間引き割合にて、無線アクセスポイント１１０を介して送信される歌詞データから指示データを間引くデータ間引き処理を実行する。
【００４３】
一例を挙げると、図５に例示するように、先に算出した間引き割合の値が数値「１／２」であるため、歌詞データに含まれる指示データＡ〜Ｅのうち、指示データＢおよび指示データＤを間引くといった具合である。そして、上述のように指示データが間引かれた歌詞データをカラオケ装置１からリモコン端末２へ送信させ、本処理を終了する。
【００４４】
なお、リモコン端末２側では、制御部５２が、上述のように指示データが間引かれた歌詞データを表示部５８に表示させる。一方、カラオケ装置１側では、制御部１２が、上述の処理によって指示データが間引かれていない歌詞データで示される歌詞を文字データに基づいて表示部３６に表示させる。
【００４５】
［効果］
このように実施形態のカラオケシステムによれば、次のような効果を奏する。すなわち、従来のカラオケシステムにおいては、歌詞の表示色の変更をスムーズにするために指示データと指示データとの間隔を短く設定する場合があり、このような場合、リモコン端末２における文字コードの表示については、カラオケ装置１とリモコン端末２との間のデータ転送の速度が遅いために、文字コードの表示色の変更が実際のカラオケ演奏から遅れ、リモコン端末２にて歌詞を見ている利用者に違和感を生じさせるといった問題があった。
【００４６】
これに対して本実施形態のカラオケ装置１によれば、カラオケ装置１の表示部３６における画面サイズとリモコン端末２の表示部５８における画面サイズとの画面サイズ比率に応じて、歌詞データの表示色に関する指示データを間引いてリモコン端末２に転送する。このことにより、例えばカラオケ装置１の表示部３６における画面サイズとリモコン端末２の表示部５８における画面サイズとの比率が数値「２」である場合には、指示データを間引く割合を例えば数値「１／２」として指示データを一つおきに間引くことによってリモコン端末２の表示部５８に表示された文字データの表示色の変更をカラオケ装置１の表示部３６に表示された文字データの表示色の変更の２倍の速度で行うといった具合に、従来のカラオケシステムではカラオケ装置１とリモコン端末２との間のデータ転送の速度が遅いためにリモコン端末１の表示部５８における表示画面における文字コードの表示色の変更が実際のカラオケ演奏から遅れるような場合でも、上述のようなリモコン端末２の表示部５８における表示画面における文字コードの表示色変更の遅れるのを防ぐことができ、リモコン端末２にて歌詞を見ている利用者に違和感を生じさせるのを防ぐことができる。
【００４７】
また、このように実施形態のカラオケシステムによれば、制御部１２が、カラオケ装置１の表示部３６における画面サイズとリモコン端末２の表示部５８における画面サイズとの画面サイズ比率を算出し、その新たに算出された画面サイズ比率がＨＤＤ１６の記憶内容とは異なる場合には、ＨＤＤ１６の記憶内容をその新たに算出した画面サイズ比率へ更新するので、例えばメンテナンスや新機種導入などにより営業時間の外にリモコン端末２が取り替えられていても、カラオケ装置１のＨＤＤ１６の記憶内容を最新のものに維持することができる。
【００４８】
［他の実施形態］
以上、本発明の一実施形態について説明したが、本発明は上記実施形態に限定されるものではなく、以下のような様々な態様にて実施することが可能である。
【００４９】
（１）上記実施形態では、カラオケ装置１の表示部３６における有効画面の対角寸法とリモコン端末２の表示部５８における有効画面の対角寸法との比率を画面サイズ比率としているが、これには限られず、カラオケ装置１の表示部３６における縦寸法とリモコン端末２の表示部５８における有効画面の縦寸法との比率を画面サイズ比率としてもよい。また、カラオケ装置１の表示部３６における有効画面の横寸法とリモコン端末２の表示部５８における有効画面の横寸法との比率を画面サイズ比率としてもよい。（ニ）カラオケ装置１の表示部３６における有効画面の面積とリモコン端末２の表示部５８における有効画面の面積との比率を画面サイズ比率としてもよい。
【００５０】
（２）上記実施形態では、利用者からカラオケ装置１までの距離については実測値を用いているが、これには限られず、標準的なカラオケボックスにおけるカラオケ装置１の設置位置から利用者の位置までの距離を算出して用いてもよい。
【００５１】
また、利用者からリモコン端末２までの距離については、クレードルにリモコン端末２が載置されているか否かによって、利用者からリモコン端末２までの距離を推定しているが、これには限られず、リモコン端末２が超音波受信機７２および超音波発振機７４を備え、超音波発振機７４から発振されて利用者によって反射された超音波を超音波受信機７２によって受信することにより利用者とリモコン端末２との間の距離を測定し、その測定された距離を利用者からリモコン端末２までの距離として用いてもよい。
【００５２】
（３）また、上述の画面サイズ比率を算出する際に用いるカラオケ装置１の表示部３６における画面サイズの値、またはリモコン端末２の表示部５８における画面サイズの値については、カラオケ装置１の操作部１８から入力するようにしてもよい。具体的には、カラオケ装置１の表示部３６における画面サイズの値、またはリモコン端末２の表示部５８における画面サイズの値が利用者によってカラオケ装置１の操作部６０を介して入力された際には、制御部１２が、その入力された画面サイズの値をＨＤＤ１６に記憶させる。なおこの場合、ＨＤＤ１６がその入力された画面サイズの値を既に記憶している場合には、制御部１２が、ＨＤＤ１６の記憶内容をその入力された画面サイズの値に更新させる。
【００５３】
（４）また、上述の距離比率を算出する際に用いる利用者からカラオケ装置１の表示部３６までの距離の値、または利用者からリモコン端末２の表示部５８までの距離の値については、カラオケ装置１の操作部１８から入力するようにしてもよい。具体的には、利用者からカラオケ装置１の表示部３６までの距離の値、または利用者からリモコン端末２の表示部５８までの距離の値が利用者によってカラオケ装置１の操作部６０を介して入力された際には、制御部１２が、その入力された距離の値を内部メモリなどに一時的記憶し、上述のデータ間引き処理において距離比率を算出する際にその入力された距離の値を内部メモリから読み出して距離算出に用いる。
【００５４】
（５）また、リモコン端末２の表示部５８の画面サイズについては、リモコン端末２の各シリアル番号や製品番号によって特定してもよい。
すなわち、カラオケ装置１側では、制御部１２が、リモコン端末２のシリアル番号や製品番号を示す情報を送信するようリモコン端末２に要求する。これに対して、リモコン端末２側では、制御部５２が、カラオケ装置１からの要求に応じて、リモコン端末２のシリアル番号や製品番号を示す情報をカラオケ装置１に対して送信する。そして、カラオケ装置１側では、制御部１２が、リモコン端末２から取得したリモコン端末２のシリアル番号や製品番号を示す情報に基づき、ＨＤＤ１６などが記憶するテーブルを参照してリモコン端末２の表示部５８の画面サイズを特定する。
【００５５】
なお、制御部１２は画面サイズ特定情報取得手段および画面サイズ値特定手段に該当する。また、ＨＤＤ１６は画面サイズ値テーブル記憶手段に該当する。
このようにすれば、例えばカラオケボックスの閉店時間中にリモコン端末２が交換された場合でも、シリアル番号や製品番号をリモコン端末２から取得することにより、リモコン端末２の表示部５８の画面サイズを容易に特定することができる。
【００５６】
（６）上記実施形態では、「画面サイズ比率」および「距離比率」に基づき、無線アクセスポイント１１０を介して送信される歌詞データから指示データを間引くための間引き割合を算出して決定しているが、これには限られず、画面サイズ比率に基づいて間引き割合を算出するようにしてもよい（図７参照）。また、距離比率に基づいて間引き割合を算出するようにしてもよい。
【００５７】
このようにしても上記実施形態と同様の作用効果を奏する。
【図面の簡単な説明】
【００５８】
【図１】カラオケシステムの全体構成を示すブロック図である。
【図２】カラオケ装置の表示部とリモコン端末の表示部との画面サイズの比較を示した説明図であり、（ａ）はカラオケ装置の表示部を示す説明図であり、（ｂ）はリモコン端末の表示部を示す説明図である。
【図３】利用者からカラオケ装置の表示部までの距離と利用者からリモコン端末の表示部までの距離との距離比率を説明する説明図である。
【図４】（ａ）は利用者とクレードルとの位置関係を示す説明図であり、（ｂ）は利用者とリモコン端末との位置関係を示す説明図である。
【図５】間引き割合に基づき、歌詞データから指示でーたを間引く処理を説明する説明図である。
【図６】カラオケ装置の制御部が実行するデータ間引き処理を示すフローチャートである。
【図７】別実施形態における画面サイズ比率と間引き率（間引き割合）との関係を説明する説明図である。
【符号の説明】
【００５９】
１…カラオケ装置、２…リモコン端末、１２…制御部、１４…インタフェース部、１６…ハードディスク（ＨＤＤ）、１８…操作部、２０…赤外線通信部、２２…操作処理部、２４…音声制御部、２６…マイクロフォン、２８…スピーカ、３０…ＭＩＤＩ音源、３２…ビデオＲＡＭ、３４…映像再生部、３６…表示部、３８…映像制御部、４０…ＵＳＢ、５２…制御部、５４…赤外線通信部、５６…メモリ、５８…表示部、６０…操作部、６２…操作処理部、６４…ビデオＲＡＭ、６６…映像制御部、６８…無線ＬＡＮ通信部、７０…ＵＳＢ制御部、７２…超音波受信機、７４…超音波発振機、１２０…クレードル、１２５…ＵＳＢ／ＬＡＮ変換機
【図１】
2006106084.tif 000003
【図２】
2006106084.tif 000004
【図３】
2006106084.tif 000005
【図４】
2006106084.tif 000006
【図５】
2006106084.tif 000007
【図６】
2006106084.tif 000008
【図７】
2006106084.tif 000009